Podtech/llm-jp-corpus-v4-ja_patent huggingface dataset:
【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
第１感光体と、第２感光体と、
光を発する第１光源と、光を発する第２光源と、
複数の反射面を有し、前記第１光源と第２光源から発せられた光をそれぞれ偏向する回転多面鏡と、
前記第１光源から発せられ前記回転多面鏡で偏向された光を所定の位置で検出することにより第１信号を出力する第１信号出力手段と、
前記第１信号に基づいて前記第１信号とは別の第２信号を出力する第２信号出力手段と、
を有し、
プリントコマンドに基づき、前記第１光源は前記第１信号に基づくタイミングで光を発し、前記第１光源から発せられた光は前記回転多面鏡に偏向されて前記第１感光体に照射され、前記第２光源は前記第２信号に基づくタイミングで光を発し、前記第２光源から発せられた光は前記回転多面鏡に偏向されて前記第２感光体に照射され、それぞれ前記第１感光体と前記第２感光体に潜像を形成し、前記潜像を現像剤で現像して前記第１感光体と前記第２感光体に現像剤像を形成する画像形成装置において、
前記第２信号出力手段は、前記第１信号と前記回転多面鏡の各面ごとに設定された補正値に基づくタイミングで前記第２信号を出力し、
前記プリントコマンドを受信した後であって、前記第２信号出力手段から前記第２信号の出力が開始される前に、前記第１光源が前記第１信号に基づいて発光して前記第１感光体への潜像の形成を開始することを特徴とする画像形成装置。
【請求項２】
同じタイミングで前記第１光源から発せられた光と前記第２光源から発せられた光は、前記回転多面鏡の異なる面に入射し、それぞれ前記第１感光体と前記第２感光体を照射することを特徴とする請求項１に記載の画像形成装置。
【請求項３】
前記第１感光体及び前記第２感光体と当接するベルトを有し、
前記ベルトの表面の移動方向に関して、前記第１感光体と前記ベルトとの当接部の方が前記第２感光体と前記ベルトとの当接部よりも上流側に配置されていることを特徴とする請求項１又は２に記載の画像形成装置。
【請求項４】
前記第１感光体と前記第２感光体の夫々に形成された第１現像剤像と第２現像剤像を前記ベルト上に重ねて転写することを特徴とする請求項３に記載の画像形成装置。
【請求項５】
前記第１感光体と前記第２感光体の夫々に形成された第１現像剤像と第２現像剤像を、前記ベルト上を搬送される記録材に重ねて転写することを特徴とする請求項３に記載の画像形成装置。
【請求項６】
前記補正値は前記第１信号を補正するための補正値であって、
前記第２信号出力手段は、前記補正値を前記回転多面鏡の各面ごとに導出し、前記補正値と前記第１信号に基づいて前記回転多面鏡の各面ごとに前記第２信号を生成して出力し、
前記第２信号出力手段が前記補正値を導出する工程を実行している期間に、前記第１光源が前記第１信号に基づいて発光して前記第１感光体への潜像の形成を開始することを特徴とする請求項１乃至５のいずれか一項に記載の画像形成装置。
【請求項７】
前記第２信号出力手段が、前記補正値を導出する工程は、前記第１信号の間隔に基づいて前記補正値を導出する工程を含むことを特徴とする請求項６に記載の画像形成装置。
【請求項８】
前記第１感光体に形成された潜像はイエローの現像剤で現像されることを特徴とする請求項１乃至７のいずれか一項に記載の画像形成装置。
【請求項９】
前記第１感光体に形成された潜像はマゼンタの現像剤で現像されることを特徴とする請求項１乃至７のいずれか一項に記載の画像形成装置。 
【手続補正２】
【補正対象書類名】明細書
【補正対象項目名】０００６
【補正方法】変更
【補正の内容】
【０００６】
上記目的を達成するために本発明にあっては、
第１感光体と、第２感光体と、
光を発する第１光源と、光を発する第２光源と、
複数の反射面を有し、前記第１光源と第２光源から発せられた光をそれぞれ偏向する回転多面鏡と、
前記第１光源から発せられ前記回転多面鏡で偏向された光を所定の位置で検出することにより第１信号を出力する第１信号出力手段と、
前記第１信号に基づいて前記第１信号とは別の第２信号を出力する第２信号出力手段と、
を有し、
プリントコマンドに基づき、前記第１光源は前記第１信号に基づくタイミングで光を発し、前記第１光源から発せられた光は前記回転多面鏡に偏向されて前記第１感光体に照射され、前記第２光源は前記第２信号に基づくタイミングで光を発し、前記第２光源から発せられた光は前記回転多面鏡に偏向されて前記第２感光体に照射され、それぞれ前記第１感光体と前記第２感光体に潜像を形成し、前記潜像を現像剤で現像して前記第１感光体と前記第２感光体に現像剤像を形成する画像形成装置において、
前記第２信号出力手段は、前記第１信号と前記回転多面鏡の各面ごとに設定された補正値に基づくタイミングで前記第２信号を出力し、
前記プリントコマンドを受信した後であって、前記第２信号出力手段から前記第２信号の出力が開始される前に、前記第１光源が前記第１信号に基づいて発光して前記第１感光体への潜像の形成を開始することを特徴とする。
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
スパイラル膜を圧力容器内に備え、加圧した供給水を前記スパイラル膜によって淡水化する淡水化設備のスパイラル膜圧力容器のモニタリング装置において、
集水管の外側に配置され、前記圧力容器の加圧部をモニタリングする圧力容器内センサと、
前記圧力容器の端面からつながり、前記スパイラル膜の中心部の集水管の内側から外側に貫通するよう配置された信号線と、を備えたことを特徴とするスパイラル膜圧力容器内のモニタリング装置。
【請求項２】
前記集水管の内側から外部に前記信号線を貫通させる部材として、複数の前記スパイラル膜の集水管を接続するコネクタを用いた請求項１記載のスパイラル膜圧力容器内のモニタリング装置。
【請求項３】
前記圧力容器の端面からつながる前記信号線が、通信線、電力線及び光ファイバのうち少なくとも一つを含む請求項１又は２に記載のスパイラル膜圧力容器内のモニタリング装置。
【請求項４】
前記圧力容器内センサは、画像撮像素子およびその光源を備えたことを特徴とする請求項１乃至３のいずれか１項に記載のスパイラル膜圧力容器内のモニタリング装置。
【請求項５】
前記圧力容器内センサは、水位センサであることを特徴とする請求項１乃至３のいずれか１項に記載のスパイラル膜圧力容器内のモニタリング装置。
【請求項６】
前記信号線は、電力線と信号線を一体化した電力線通信であることを特徴とする請求項１乃至５のいずれか１項に記載のスパイラル膜圧力容器内のモニタリング装置。
【請求項７】
前記圧力容器内の塩濃度を計測して前記供給水の漏洩を判定する漏洩判定装置を備えることを特徴とする請求項１乃至６のいずれか１項に記載のスパイラル膜圧力容器内のモニタリング装置。
【請求項８】
複数の前記圧力容器を並列に接続し、各々の前記圧力容器の下流側に備えられる弁と、
前記弁の開閉を制御して前記淡水化設備を監視する監視制御システムを備え、
前記監視制御システムは、
前記供給水が漏洩したと判断されると、当該圧力容器の下流側に設置された前記弁を閉じるように制御することを特徴とする請求項１乃至７のいずれか１項に記載のスパイラル膜圧力容器内のモニタリング装置。
【請求項９】
スパイラル膜を圧力容器内に備え、加圧した供給水を前記スパイラル膜によって淡水化する淡水化設備のスパイラル膜圧力容器内のモニタリング方法において、
集水管の外側に配置される圧力容器内センサが、前記圧力容器の加圧部をモニタリングし、
前記圧力容器の端面からつながり、前記スパイラル膜の中心部の集水管の内側から外側に貫通するよう備えられた信号線が前記圧力容器内センサからの検出信号を前記圧力容器の外部に出力することを特徴とするスパイラル膜圧力容器内モニタリング方法。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
画像と、前記画像を解析することにより特定された複数の領域とを表示するように制御する第１表示制御手段と、
前記表示された複数の領域の中から、ユーザの指示に基づいて第１の領域を選択する選択手段と、
前記選択手段で選択された前記第１の領域の頂点の位置を変更するための指示を前記ユーザから受付ける受付手段と、
前記指示に応じて頂点の位置が変更された前記第１の領域が、前記表示された複数の領域の中の第２の領域を含む場合、前記第１の領域と前記第２の領域とを結合する結合手段と
を有することを特徴とする情報処理装置。
【請求項２】
前記第１の領域と前記第２の領域はそれぞれ文字領域を含み、
前記指示に応じて頂点の位置が変更された前記第１の領域が前記第２の領域を含む場合、前記結合手段は、前記第１の領域と前記第２の領域とを結合し、さらに、前記第１の領域に含まれる文字領域と前記第２の領域に含まれる文字領域とを結合することを特徴とする情報処理装置。
【請求項３】
前記第１の領域と前記第２の領域それぞれに含まれる文字領域に対して文字認識処理を行うことによって、各文字領域に対応する文字認識結果の認識文字を得る文字認識手段を、さらに有し、
前記指示に応じて頂点の位置が変更された前記第１の領域が前記第２の領域を含む場合、前記結合手段は、前記第１の領域と前記第２の領域とを結合し、さらに、前記第１の領域に含まれる文字領域と前記第２の領域に含まれる文字領域とを結合し、さらに、前記第１の領域に含まれる文字領域に対応する文字認識結果の認識文字と前記第２の領域に含まれる文字領域に対応する文字認識結果の認識文字とを結合することを特徴とする請求項２に記載の情報処理装置。
【請求項４】
前記選択手段で第１の領域が選択された場合、前記第１の領域の頂点の位置を変更するためのハンドルを前記第１の領域の各頂点に対応付けて更に表示するように制御する第２表示制御手段を、さらに有し、
前記受付手段は、前記ユーザによる前記ハンドルの操作に基づいて、前記選択手段で選択された前記第１の領域の頂点の位置を変更するための指示を受付けることを特徴とする請求項１乃至３の何れか１項に記載の情報処理装置。
【請求項５】
前記第１表示制御手段により表示される前記複数の領域は、表領域を構成する複数のセルそれぞれに含まれる白画素塊の外接矩形であることを特徴とする請求項１乃至４の何れか１項に記載の情報処理装置。
【請求項６】
前記指示に応じて頂点の位置が変更された前記第１の領域が、前記第２の領域を含まない場合、前記結合手段は、前記第１の領域と前記第２の領域とを結合しないことを特徴とする請求項１乃至５の何れか１項に記載の情報処理装置。
【請求項７】
前記指示に応じた頂点の位置の変更により前記第１の領域が縮小される場合、前記位置の変更が為される前の前記第１の領域に含まれ且つ前記位置の変更が為された後の当該縮小された前記第１の領域に含まれない新たな第３の領域を作成する作成手段を、さらに有することを特徴とする請求項１乃至６の何れか１項に記載の情報処理装置。
【請求項８】
画像と、前記画像を解析することにより特定された複数の領域とを表示するように制御する表示制御手段と、
前記表示された複数の領域の中から、ユーザの指示に基づいて第１の領域を選択する選択手段と、
前記ユーザの操作によって、前記選択手段で選択された前記第１の領域がドラッグされて、前記表示された複数の領域の中の第２の領域にドロップされた場合、前記第１の領域と前記第２の領域とを結合する結合手段と
を有することを特徴とする情報処理装置。
【請求項９】
画像と、前記画像を解析することにより特定された複数の領域とを表示するように制御する表示制御手段と、
ユーザによってピンチイン操作が為された際にタッチされた２つの位置のそれぞれに、前記表示された複数の領域の中の第１の領域と第２の領域とがある場合、前記第１の領域と第２の領域とを結合する結合手段と、
を有することを特徴とする情報処理装置。
【請求項１０】
コンピュータを、請求項１乃至９の何れか１項に記載の情報処理装置の各手段として機能させるためのプログラム。
【請求項１１】
情報処理装置の表示制御手段が、画像と、前記画像を解析することにより特定された複数の領域とを表示するように制御する表示制御工程と、
前記情報処理装置の選択手段が、前記表示された複数の領域の中から、ユーザの指示に基づいて第１の領域を選択する選択工程と、
前記情報処理装置の受付手段が、前記選択工程で選択された前記第１の領域の頂点の位置を変更するための指示を前記ユーザから受付ける受付工程と、
前記指示に応じて頂点の位置が変更された前記第１の領域が、前記表示された複数の領域の中の第２の領域を含む場合、前記情報処理装置の結合手段が、前記第１の領域と前記第２の領域とを結合する結合工程とを有することを特徴とする情報処理方法。
【手続補正２】
【補正対象書類名】明細書
【補正対象項目名】０００８
【補正方法】変更
【補正の内容】
【０００８】
上記課題を解決するために、本発明の情報処理装置は、画像と、前記画像を解析することにより特定された複数の領域とを表示するように制御する第１表示制御手段と、前記表示された複数の領域の中から、ユーザの指示に基づいて第１の領域を選択する選択手段と、前記選択手段で選択された前記第１の領域の頂点の位置を変更するための指示を前記ユーザから受付ける受付手段と、前記指示に応じて頂点の位置が変更された前記第１の領域が、前記表示された複数の領域の中の第２の領域を含む場合、前記第１の領域と前記第２の領域とを結合する結合手段とを有することを特徴とする。
【手続補正３】
【補正対象書類名】明細書
【補正対象項目名】０００９
【補正方法】変更
【補正の内容】
【０００９】
画像を解析することにより特定される領域についての変更が容易にできるようになる。
【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
所定の機能の処理を行う画像形成装置の制御方法であって、
個人認証されているユーザとして前記画像形成装置にログインしているユーザの指示に従って、前記機能の処理のための設定情報を設定する工程と、
前記ユーザの指示に従って、設定された設定情報を用いて前記機能の処理を行う工程と、
前記処理に使用された設定情報を、設定履歴としてメモリに記憶する工程と、
設定履歴として前記メモリに記憶された設定情報を読み出して前記機能の処理のために再利用する工程と、
第１の設定と第２の設定を選択する工程と、を有し、
前記第１の設定が選択された場合、前記処理に使用された設定情報を、前記ユーザに関連づけて設定履歴として前記メモリに記憶し、当該設定情報は、前記ユーザが前記画像形成装置からログアウトする前も、前記ユーザが前記画像形成装置からログアウトした後の再ログイン後も、前記メモリから呼び出して再利用することが可能であり、
前記第２の設定が選択された場合、前記処理に使用された設定情報を、前記ユーザに関連づけずに設定履歴として前記メモリに記憶し、当該設定情報は、前記ユーザが前記画像形成装置からログアウトする前は前記メモリから呼び出して再利用することが可能であるが、前記ユーザが前記画像形成装置からログアウトした後の再ログイン後は、前記メモリから呼び出すことができない
ことを特徴とする制御方法。
【請求項２】
前記第２の設定が選択された場合、前記ユーザのログアウトに従って、設定履歴として前記メモリに記憶された設定情報を、前記メモリから削除することを特徴とする請求項１記載の制御方法。
【請求項３】
前記ユーザによる前記機能の処理の開始指示を受信し、
前記記憶する工程では、前記開始指示の受信に従って、設定された設定情報を、設定履歴として前記メモリに記憶することを特徴とする請求項１または２記載の制御方法。
【請求項４】
前記メモリは、ユーザ毎の設定値を記憶するための個人設定記憶領域と、複数のユーザが共有で用いる設定値を記憶するためのデバイス設定記憶領域と、を有し、
前記第１の設定が選択された場合、前記処理に使用された設定情報を、前記ユーザに関連づけて前記個人設定記憶領域に記憶し、
前記第２の設定が選択された場合、前記処理に使用された設定情報を、前記デバイス設定記憶領域に記憶することを特徴とする請求項１から３のいずれか１項に記載の制御方法。
【請求項５】
個人認証されていないユーザからの指示に従って前記機能の処理を行った場合、前記第１の設定と
前記第２の設定のいずれが選択された場合でも、前記処理に使用された設定情報を前記デバイス設定記憶領域に記憶することを特徴とする請求項４記載の制御方法。
【請求項６】
設定履歴として記憶された設定情報を再利用する前に、当該設定情報の内容を個人認証されている前記ユーザに対して表示し、
前記再利用する工程では、前記ユーザの確認操作に従って、前記設定情報を前記機能の処理のために再利用することを特徴とする請求項１から５のいずれか１項に記載の制御方法。
【請求項７】
設定履歴として記憶された設定情報を、個人認証されているユーザが選択可能なボタンに関連付け、
個人認証されているユーザによる前記ボタンの選択に基づいて、前記設定情報が呼び出されることを特徴とする請求項１から６のいずれか１項に記載の制御方法。
【請求項８】
前記第１の設定と前記第２の設定の選択は、管理者権限を持つユーザのみが可能であることを特徴とする請求項１から７のいずれか１項に記載の制御方法。
【請求項９】
前記第１の設定か、前記第２の設定かの何れかを選択するための設定画面を、前記管理者権限を持つ前記ユーザに提供し、
前記選択する工程では、前記設定画面に対する前記管理者権限を持つ前記ユーザの操作に従って、前記第１の設定か前記第２の設定かの何れかを選択することを特徴とする請求項８記載の制御方法。
【請求項１０】
前記機能は、原稿上の画像を読み取ることにより生成された画像データに基づいて印刷するコピー機能、外部から投入された印刷データに基づいて印刷する印刷機能、ファクシミリデータを通信するＦＡＸ機能、のずれか一つであることを特徴とする請求項１から９のいずれか１項に記載の制御方法。
【請求項１１】
請求項１から１０のいずれか1項に記載の制御方法を実行することが可能な画像処理装置。
【請求項１２】
請求項１から１０のいずれか1項に記載の制御方法をコンピュータに実行させるためのプログラム。
【手続補正２】
【補正対象書類名】明細書
【補正対象項目名】０００８
【補正方法】変更
【補正の内容】
【０００８】
本発明は、所定の機能の処理を行う画像形成装置の制御方法であって、個人認証されているユーザとして前記画像形成装置にログインしているユーザの指示に従って、前記機能の処理のための設定情報を設定する工程と、前記ユーザの指示に従って、設定された設定情報を用いて前記機能の処理を行う工程と、前記処理に使用された設定情報を、設定履歴としてメモリに記憶する工程と、設定履歴として前記メモリに記憶された設定情報を読み出して前記機能の処理のために再利用する工程と、第１の設定と第２の設定を選択する工程と、を有し、前記第１の設定が選択された場合、前記処理に使用された設定情報を、前記ユーザに関連づけて設定履歴として前記メモリに記憶し、当該設定情報は、前記ユーザが前記画像形成装置からログアウトする前も、前記ユーザが前記画像形成装置からログアウトした後の再ログイン後も、前記メモリから呼び出して再利用することが可能であり、前記第２の設定が選択された場合、前記処理に使用された設定情報を、前記ユーザに関連づけずに設定履歴として前記メモリに記憶し、当該設定情報は、前記ユーザが前記画像形成装置からログアウトする前は前記メモリから呼び出して再利用することが可能であるが、前記ユーザが前記画像形成装置からログアウトした後の再ログイン後は、前記メモリから呼び出すことができないことを特徴とする。
【手続補正３】
【補正対象書類名】明細書
【補正対象項目名】発明の名称
【補正方法】変更
【補正の内容】
【発明の名称】画像形成装置の制御方法、画像形成装置及びプログラム
【手続補正４】
【補正対象書類名】明細書
【補正対象項目名】０００１
【補正方法】変更
【補正の内容】
【０００１】
本発明は、操作履歴を用いた装置の設定が可能な画像形成装置の制御方法、画像形成装置及びプログラムに関する。
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
像ぶれを補正するための光学素子を含む撮像光学系と、
前記撮像光学系を介して入射する光を光電変換して画像信号を出力する、複数の画素が２次元に配置された撮像素子と、
前記撮像素子の前記複数の画素を、行単位で順次、電荷蓄積および読み出しを行うように駆動する駆動手段と、
前記光学素子を駆動するための周期的な移動曲線および周期と、前記撮像素子から１フレーム分の画像信号を読み出す周期とを設定する設定手段と、
前記設定手段による設定に従って、前記光学素子を駆動しながら、前記撮像素子から連続して複数フレームの画像信号を読み出すように前記駆動手段を制御する制御手段と
を有することを特徴とする撮像装置。
【請求項２】
前記移動曲線は、前記光学素子を前記撮像素子の主走査方向に周期的に駆動する曲線を含むことを特徴とする請求項１に記載の撮像装置。
【請求項３】
前記移動曲線は、前記光学素子を前記撮像素子の副走査方向に周期的に駆動する曲線を含むことを特徴とする請求項１または２に記載の撮像装置。
【請求項４】
前記撮像素子から読み出された画像信号をフレーム単位で記憶する記憶手段と、
前記光学素子を前記撮像素子の副走査方向に駆動した場合に、１フレーム期間における前記光学素子の移動量と、前記撮像光学系の焦点距離とに基づいて、前記光学素子の移動により生じる前記入射する光の位置の変位を補正するように読み出し位置をずらして、前記記憶手段に記憶された画像信号を読み出す手段と
を更に有することを特徴とする請求項３に記載の撮像装置。
【請求項５】
前記光学素子を前記撮像素子の主走査方向に周期的に駆動させる第１特殊動画撮影モードと、前記光学素子を前記撮像素子の副走査方向に周期的に駆動させる第２特殊動画撮影モードと、前記移動曲線を設定せずに前記光学素子を像ぶれ補正に用いる通常動画撮影モードとのいずれかを選択する選択手段を更に有し、
前記設定手段は、前記第１特殊動画撮影モードまたは前記第２特殊動画撮影モードが選択された場合に設定を行い、
前記制御手段は、前記選択手段により選択されたモードに従って、前記光学素子および前記駆動手段を制御することを特徴とする請求項１乃至４のいずれか１項に記載の撮像装置。
【請求項６】
前記制御手段は、前記設定手段による設定に従って前記光学素子を駆動する場合に、前記光学素子を用いた像ぶれの補正を停止することを特徴とする請求項１乃至５のいずれか１項に記載の撮像装置。
【請求項７】
前記設定手段は、前記光学素子の可動範囲内で前記移動曲線の振幅を設定することを特徴とする請求項１乃至６のいずれか１項に記載の撮像装置。
【請求項８】
像ぶれを補正するための光学素子を含む撮像光学系と、前記撮像光学系を介して入射する光を光電変換して画像信号を出力する、複数の画素が２次元に配置された撮像素子とを有する撮像装置の制御方法であって、
設定手段が、前記光学素子を駆動するための周期的な移動曲線および周期と、前記撮像素子から１フレーム分の画像信号を読み出す周期とを設定する設定工程と、
制御手段が、前記設定手段による設定に従って、前記光学素子を駆動しながら、前記撮像素子から連続して複数フレームの画像信号を読み出すように制御する制御工程とを有し、
前記制御工程では、駆動手段が、前記撮像素子の前記複数の画素を、行単位で順次、電荷蓄積および読み出しを行うように駆動することを特徴とする撮像装置の制御方法。
【手続補正書】
【提出日】平成29年7月4日(2017.7.4)
【手続補正１】
【補正対象書類名】特許請求の範囲
【補正対象項目名】全文
【補正方法】変更
【補正の内容】
【特許請求の範囲】
【請求項１】
第１の光学特性データに関する情報を保持するデータ保持手段と、
撮影画像に関する前記第１の光学特性データおよびデフォーカス特性データに基づいて、第２の光学特性データを生成するデータ生成手段と、
前記第２の光学特性データに基づいて、前記撮影画像の回復処理を行う回復処理手段と、を有し、
前記データ生成手段は、前記第１の光学特性データに前記デフォーカス特性データを付加して前記第２の光学特性データを生成することを特徴とする画像処理装置。
【請求項２】
前記第１の光学特性データは、撮影光学系および撮影条件に応じて決定される収差データであり、
前記デフォーカス特性データは、デフォーカス量に応じて決定される収差データである、ことを特徴とする請求項１に記載の画像処理装置。
【請求項３】
前記第１の光学特性データは、ピント面における収差データであることを特徴とする請求項１または２に記載の画像処理装置。
【請求項４】
前記デフォーカス特性データを決定するデフォーカス決定手段を更に有することを特徴とする請求項１乃至３のいずれか１項に記載の画像処理装置。
【請求項５】
前記デフォーカス決定手段は、前記撮影画像のデフォーカス量に基づいて前記デフォーカス特性データを決定することを特徴とする請求項４に記載の画像処理装置。
【請求項６】
前記デフォーカス決定手段は、前記撮影画像の距離情報により決定された前記デフォーカス量に基づいて、前記デフォーカス特性データを決定することを特徴とする請求項５に記載の画像処理装置。
【請求項７】
前記デフォーカス決定手段は、ユーザの指示に基づいて前記デフォーカス特性データを決定することを特徴とする請求項４に記載の画像処理装置。
【請求項８】
前記第２の光学特性データを用いて画像回復フィルタを生成するフィルタ生成手段を更に有し、
前記回復処理手段は、前記画像回復フィルタを用いて前記撮影画像の前記回復処理を行うことを特徴とする請求項１乃至７のいずれか１項に記載の画像処理装置。
【請求項９】
前記フィルタ生成手段は、
前記第２の光学特性データに基づいて光学伝達関数を算出し、
算出された前記光学伝達関数に対して、撮像素子のナイキスト周波数までの帯域変換を行い、
帯域変換後の光学伝達関数に基づいて、前記画像回復フィルタを生成する、ことを特徴とする請求項８に記載の画像処理装置。
【請求項１０】
撮影光学系を介して形成された光学像を光電変換して撮影画像を出力する撮像手段と、
第１の光学特性データに関する情報を保持するデータ保持手段と、
前記撮影画像に関する前記第１の光学特性データおよびデフォーカス特性データに基づいて、第２の光学特性データを生成するデータ生成手段と、
前記第２の光学特性データに基づいて、前記撮影画像の回復処理を行う回復処理手段と、を有し、
前記データ生成手段は、前記第１の光学特性データに前記デフォーカス特性データを付加して前記第２の光学特性データを生成することを特徴とする撮像装置。
【請求項１１】
データ保持手段に保持された第１の光学特性データに関する情報に基づいて、撮影画像に関する該第１の光学特性データを生成するステップと、
前記撮影画像に関する前記第１の光学特性データおよびデフォーカス特性データに基づいて、第２の光学特性データを生成するステップと、
前記第２の光学特性データに基づいて、前記撮影画像の回復処理を行うステップと、を有し、
前記第２の光学特性データは、前記第１の光学特性データに前記デフォーカス特性データを付加することで生成されることを特徴とする画像処理方法。
【請求項１２】
データ保持手段に保持された第１の光学特性データに関する情報に基づいて、撮影画像に関する該第１の光学特性データを生成するステップと、
前記撮影画像に関する前記第１の光学特性データおよびデフォーカス特性データに基づいて、第２の光学特性データを生成するステップと、
前記第２の光学特性データに基づいて、前記撮影画像の回復処理を行うステップと、をコンピュータに実行させ、
前記第２の光学特性データは、前記第１の光学特性データに前記デフォーカス特性データを付加することで生成されるように構成されていることを特徴とする画像処理プログラム。
【請求項１３】
請求項１２に記載の画像処理プログラムを記憶していることを特徴とする記憶媒体。
【手続補正２】
【補正対象書類名】明細書
【補正対象項目名】０００７
【補正方法】変更
【補正の内容】
【０００７】
本発明の一側面としての画像処理装置は、第１の光学特性データに関する情報を保持するデータ保持手段と、撮影画像に関する前記第１の光学特性データおよびデフォーカス特性データに基づいて、第２の光学特性データを生成するデータ生成手段と、前記第２の光学特性データに基づいて、前記撮影画像の回復処理を行う回復処理手段とを有し、前記データ生成手段は、前記第１の光学特性データに前記デフォーカス特性データを付加して前記第２の光学特性データを生成する。
【手続補正３】
【補正対象書類名】明細書
【補正対象項目名】０００８
【補正方法】変更
【補正の内容】
【０００８】
本発明の他の側面としての撮像装置は、撮影光学系を介して形成された光学像を光電変換して撮影画像を出力する撮像手段と、第１の光学特性データに関する情報を保持するデータ保持手段と、前記撮影画像に関する前記第１の光学特性データおよびデフォーカス特性データに基づいて、第２の光学特性データを生成するデータ生成手段と、前記第２の光学特性データに基づいて、前記撮影画像の回復処理を行う回復処理手段とを有し、前記データ生成手段は、前記第１の光学特性データに前記デフォーカス特性データを付加して前記第２の光学特性データを生成する。
【手続補正４】
【補正対象書類名】明細書
【補正対象項目名】０００９
【補正方法】変更
【補正の内容】
【０００９】
本発明の他の側面としての画像処理方法は、データ保持手段に保持された第１の光学特性データに関する情報に基づいて、撮影画像に関する該第１の光学特性データを生成するステップと、前記撮影画像に関する前記第１の光学特性データおよびデフォーカス特性データに基づいて、第２の光学特性データを生成するステップと、前記第２の光学特性データに基づいて、前記撮影画像の回復処理を行うステップとを有し、前記第２の光学特性データは、前記第１の光学特性データに前記デフォーカス特性データを付加することで生成される。
【手続補正５】
【補正対象書類名】明細書
【補正対象項目名】００１０
【補正方法】変更
【補正の内容】
【００１０】
本発明の他の側面としての画像処理プログラムは、データ保持手段に保持された第１の光学特性データに関する情報に基づいて、撮影画像に関する該第１の光学特性データを生成するステップと、前記撮影画像に関する前記第１の光学特性データおよびデフォーカス特性データに基づいて、第２の光学特性データを生成するステップと、前記第２の光学特性データに基づいて、前記撮影画像の回復処理を行うステップと、をコンピュータに実行させ、前記第２の光学特性データは、前記第１の光学特性データに前記デフォーカス特性データを付加することで生成されるように構成されている。
【手続補正書】
【提出日】平成29年7月5日(2017.7.5)
【手続補正１】
【補正対象書類名】明細書
【補正対象項目名】発明の名称
【補正方法】変更
【補正の内容】
【発明の名称】情報処理装置、表示制御方法、及びコンピュータプログラム
【手続補正２】
【補正対象書類名】特許請求の範囲
【補正対象項目名】全文
【補正方法】変更
【補正の内容】
【特許請求の範囲】
【請求項１】
通話機能を有する相手機器との間で通話を行う通話手段と、
前記通話手段による通話により前記相手機器へ送信する第１の音声及び前記相手機器から入力される第２の音声の音声認識処理を行う音声認識手段と、
前記音声認識手段による認識結果に応じて、１以上のアプリケーションを検索する検索手段と、
前記検索手段により検索したアプリケーションを起動するためのオブジェクトを所定の表示手段に表示する表示制御手段と、を備えることを特徴とする、
情報処理装置。
【請求項２】
前記表示制御手段は、通話を行うためのアプリケーションの実行画面に重ねて、前記オブジェクトを表示することを特徴とする、
請求項１に記載の情報処理装置。
【請求項３】
アプリケーション毎に関連するキーワードを記憶する記憶手段を備えており、
前記検索手段は、前記音声認識手段の認識結果をキーワードとしてアプリケーションを検索することを特徴とする、
請求項１又は２に記載の情報処理装置。
【請求項４】
前記通話手段による通話状況に応じて、前記第１の音声及び前記第２の音声のいずれを優先するかを決定する決定手段と、
前記表示制御手段は、前記決定手段の決定に基づいた順で前記オブジェクトを前記表示手段に表示することを特徴とする、
請求項３に記載の情報処理装置。
【請求項５】
前記決定手段は、前記第１の音声及び前記第２の音声の重みを表す値により、いずれを優先するかを決定することを特徴とする、
請求項４に記載の情報処理装置。
【請求項６】
検索に用いたキーワードと索出したアプリケーションとの関連の度合い及び前記第１の音声又は前記第２の音声の重みを表す前記値に応じて、前記オブジェクトを表示する際の表示順を決めるためのスコアを算出する計算手段を備えており、
前記表示制御手段は、前記スコアに応じた順で前記オブジェクトを前記表示手段に表示することを特徴とする、
請求項５に記載の情報処理装置。
【請求項７】
前記決定手段は、前記第１の音声が前記相手機器に送信されない通話状況では、前記第１の音声を前記第２の音声よりも優先することを決定する、
請求項４〜６のいずれか１項に記載の情報処理装置。
【請求項８】
前記決定手段は、前記第２の音声が前記情報処理装置の使用者に聞こえない通話状況では、前記第１の音声を前記第２の音声よりも優先することを決定する、
請求項４〜７のいずれか１項に記載の情報処理装置。
【請求項９】
前記情報処理装置に接近する物体を検知する近接センサを備えており、
前記決定手段は、前記近接センサが前記情報処理装置の使用者の耳を検知すると、前記第１の音声を前記第２の音声よりも優先することを決定する、
請求項４〜８のいずれか１項に記載の情報処理装置。
【請求項１０】
周囲の雑音を測定する雑音測定手段を備えており、
前記決定手段は、前記雑音の大きさに応じて前記第１の音声及び前記第２の音声のいずれを優先するかを決定することを特徴とする、
請求項４〜９のいずれか１項に記載の情報処理装置。
【請求項１１】
通話機能を有する相手機器との間で通話を行う通話手段と、
前記通話手段による通話により前記相手機器へ送信する第１の音声及び前記相手機器から入力される第２の音声の音声認識処理を行う音声認識手段と、
前記音声認識手段による認識結果に応じて、１以上のアプリケーションを検索する検索手段と、
前記検索手段により検索したアプリケーションを起動するためのオブジェクトを、所定の表示手段の、前記認識結果に基づいた位置に表示する表示制御手段と、を備えることを特徴とする、
情報処理装置。
【請求項１２】
通話機能を有する相手機器との間で通話を行う通話手段を備えた情報処理装置により実行される方法であって、
前記通話手段による通話により前記相手機器へ送信する第１の音声及び前記相手機器から入力される第２の音声の音声認識処理を行い、
前記音声認識処理による認識結果に応じて、１以上のアプリケーションを検索して、
検索した前記アプリケーションを起動するためのオブジェクトを所定の表示手段に表示することを特徴とする、
表示制御方法。
【請求項１３】
通話機能を有する相手機器との間で通話を行う通話手段を備えた情報処理装置により実行される方法であって、
前記通話手段による通話により前記相手機器へ送信する第１の音声及び前記相手機器から入力される第２の音声の音声認識処理を行い、
前記音声認識処理による認識結果に応じて、１以上のアプリケーションを検索して、
検索した前記アプリケーションを起動するためのオブジェクトを、所定の表示手段の、前記認識結果に基づいた位置に表示することを特徴とする、
表示制御方法。
【請求項１４】
通話機能を有する相手機器との間で通話を行う通話手段を備えたコンピュータを、
前記通話手段による通話により前記相手機器へ送信する第１の音声及び前記相手機器から入力される第２の音声の音声認識処理を行う音声認識手段、
前記音声認識手段による認識結果に応じて、１以上のアプリケーションを検索する検索手段、
前記検索手段により検索したアプリケーションを起動するためのオブジェクトを所定の表示手段に表示する表示制御手段、
として機能させるためのコンピュータプログラム。
【請求項１５】
通話機能を有する相手機器との間で通話を行う通話手段を備えたコンピュータを、
前記通話手段による通話により前記相手機器へ送信する第１の音声及び前記相手機器から入力される第２の音声の音声認識処理を行う音声認識手段、
前記音声認識手段による認識結果に応じて、１以上のアプリケーションを検索する検索手段、
前記検索手段により検索したアプリケーションを起動するためのオブジェクトを、所定の表示手段の、前記認識結果に基づいた位置に表示する表示制御手段
として機能させるためのコンピュータプログラム。
【手続補正書】
【提出日】平成29年7月3日(2017.7.3)
【手続補正１】
【補正対象書類名】特許請求の範囲
【補正対象項目名】請求項７
【補正方法】変更
【補正の内容】
【請求項７】
原稿の画像を読取る画像読取装置の画像読取方法であって、
ユーザからの画像読取の指示に従って原稿の画像を読取る読取工程と、
前記画像読取の指示において指定されており且つ前記画像読取装置において実行可能な画像処理がある場合は、該画像処理を前記読取工程において原稿の画像を読取って得られた画像データに対して実行する画像処理工程と、
前記読取工程において原稿の画像を読取って得られた画像データ又は前記画像処理工程において画像処理が実行された画像データと、前記画像読取の指示において指定されている画像処理が実行済みであるかどうかを示す情報とを送信する送信工程とを有することを特徴とする画像読取方法。
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
カテーテルチューブと、
前記カテーテルチューブに固定された遠位端固定部及び近位端固定部と、前記遠位端固定部及び前記近位端固定部に挟まれており前記カテーテルチューブを介して供給される流体により膨張可能な膨張部と、を有するバルーンと、を有し、
前記膨張部は、前記遠位端固定部に接続する遠位端膨張部と、前記近位端固定部に接続する近位端膨張部と、前記遠位端膨張部と前記近位端膨張部の間に挟まれており前記遠位端膨張部及び前記近位端膨張部と色が異なるマーカー部と、を有することを特徴とする十二指腸乳頭拡張用バルーンカテーテル。
【請求項２】
前記マーカー部の軸方向中心位置は、前記膨張部の軸方向中心位置から近位端側に０〜１０ｍｍ離れた位置に配置されていることを特徴とする請求項１に記載の十二指腸乳頭拡張用バルーンカテーテル。
【請求項３】
前記マーカー部の軸方向の長さは、２〜８ｍｍであることを特徴とする請求項１又は請求項２に記載の十二指腸乳頭拡張用バルーンカテーテル。
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
複数の図柄が示された回転可能なリールと、
抽選処理により何れかの役を決定する役抽選手段と、
前記リールが停止したとき、前記役抽選手段により決定された所定の役に対応する所定の図柄組合せが停止したことによって入賞結果が定まる制御処理を行う遊技制御手段と、
前記役抽選手段により決定された前記所定の役に対応する前記所定の図柄組合せとは異なる特定の図柄組合せが仮停止する制御処理を行う遊技制御手段と、
更新要件を満たしたとき遊技に関する履歴を示す遊技履歴情報を更新する遊技履歴情報更新手段と、
前記遊技履歴情報を表示するための操作手段と、
表示装置と、
前記表示装置に前記遊技履歴情報に基づいた情報を表示可能に制御する演出制御手段と、を備え、
所定の再遊技役が入賞したあとはパスワード入力ができないようにし、
前記更新要件は、前記役抽選手段により決定された何れかの役に基づくことを含み、前記遊技制御手段の制御処理に基づいて仮停止可能となる前記特定の図柄組合せが決定している場合において、前記遊技履歴情報更新手段が、決定された前記特定の図柄組合せを前記遊技履歴情報に更新し、
前記演出制御手段は、前記操作手段が所定の操作を行なわれることに基づいて前記遊技履歴情報に関する情報を前記表示装置に表示可能に制御する、遊技機。
【手続補正書】
【提出日】平成29年7月12日(2017.7.12)
【手続補正１】
【補正対象書類名】明細書
【補正対象項目名】発明の名称
【補正方法】変更
【補正の内容】
【発明の名称】眼内レンズ挿入器具
【手続補正２】
【補正対象書類名】特許請求の範囲
【補正対象項目名】全文
【補正方法】変更
【補正の内容】
【特許請求の範囲】
【請求項１】
先端にノズル部を有する筒状の本体部の内部に棒状の押出部材を押出軸に沿って進行させることで光を屈折させる光学面を有する光学部と前記光学部の周囲から外側に延びる一つまたは複数の支持部とを有する変形可能な眼内レンズを眼内に挿入する眼内レンズ挿入器具であって、
前記ノズル部より基端側に設けられ、前記ノズル部に向けて先細りとなる内壁を有する先細り部と、
前記先細り部より基端側に設けられ、前記押出部材によって押し出される前の前記光学部が設置される光学部設置部と、
前記先細り部と前記光学部設置部との間に設けられ、前記光学部設置部から前記先細り部にかけて、前記光学部の幅以上の幅の通路が形成される通路部とを備え、
前記通路部のうち前記光学部の一方の光学面に対向する通路壁は、前記押出軸の方向から見た場合に前記押出軸から遠ざかる方向に向けて凹状に歪曲する歪曲部を備え、基端側から先端側に向けて前記歪曲部の歪曲量が増加することを特徴とする眼内レンズ挿入器具。
【請求項２】
請求項１に記載の眼内レンズ挿入器具であって、
前記押出軸の方向から見た場合に、前記通路部の前記通路壁の基端部が平坦に形成されていることを特徴とする眼内レンズ挿入器具。
【請求項３】
請求項１または２に記載の眼内レンズ挿入器具であって、
前記先細り部の基端は前記通路部と滑らかに接続される形状で形成されていることを特徴とする眼内レンズ挿入器具。
【手続補正３】
【補正対象書類名】明細書
【補正対象項目名】０００１
【補正方法】変更
【補正の内容】
【０００１】
本発明は、眼内レンズを眼内に挿入する眼内レンズ挿入器具に関する。
【手続補正４】
【補正対象書類名】明細書
【補正対象項目名】０００６
【補正方法】変更
【補正の内容】
【０００６】
本開示は、眼内レンズを好適に折り曲げることが可能な眼内レンズ挿入器具を提供することを目的とする。
【手続補正５】
【補正対象書類名】明細書
【補正対象項目名】０００７
【補正方法】変更
【補正の内容】
【０００７】
上記課題を解決するために、本開示に係る眼内レンズ挿入器具は、以下のような構成を備える。
（１）  先端にノズル部を有する筒状の本体部の内部に棒状の押出部材を押出軸に沿って進行させることで光を屈折させる光学面を有する光学部と前記光学部の周囲から外側に延びる一つまたは複数の支持部とを有する変形可能な眼内レンズを眼内に挿入する眼内レンズ挿入器具であって、前記ノズル部より基端側に設けられ、前記ノズル部に向けて先細りとなる内壁を有する先細り部と、前記先細り部より基端側に設けられ、前記押出部材によって押し出される前の前記光学部が設置される光学部設置部と、前記先細り部と前記光学部設置部との間に設けられ、前記光学部設置部から前記先細り部にかけて、前記光学部の幅以上の幅の通路が形成される通路部とを備え、前記通路部のうち前記光学部の一方の光学面に対向する通路壁は、前記押出軸の方向から見た場合に前記押出軸から遠ざかる方向に向けて凹状に歪曲する歪曲部を備え、基端側から先端側に向けて前記歪曲部の歪曲量が増加することを特徴とする。
【手続補正書】
【提出日】平成29年7月12日(2017.7.12)
【手続補正１】
【補正対象書類名】明細書
【補正対象項目名】発明の名称
【補正方法】変更
【補正の内容】
【発明の名称】眼内レンズ挿入器具
【手続補正２】
【補正対象書類名】特許請求の範囲
【補正対象項目名】全文
【補正方法】変更
【補正の内容】
【特許請求の範囲】
【請求項１】
棒状の押出部材を押出軸に沿って進行させることで、光学部と、前記光学部の周囲から外側に延びる一つまたは複数の支持部とを有する変形可能な眼内レンズを眼内に挿入する眼内レンズ挿入器具であって、
少なくとも１つの前記支持部を前記光学部よりも基端側に配置した状態で前記眼内レンズが設置される設置部と、
前記押出部材とは異なる部材であって、前記設置部に設置された前記眼内レンズの前記支持部を前記押出軸とは異なる方向から押圧して変形移動させる軸外移動部と、
を備えたことを特徴とする眼内レンズ挿入器具。
【請求項２】
請求項１に記載の眼内レンズ挿入器具であって、
前記支持部の全長の半分より基端側に前記軸外移動部を当接させて前記支持部を押圧することを特徴とする眼内レンズ挿入器具。
【請求項３】
請求項１または２に記載の眼内レンズ挿入器具であって、
前記軸外移動部とは異なる部材で形成され、前記軸外移動部が前記支持部を押すための応力を提供する応力発生部をさらに備え、
前記軸外移動部は弾性材料で形成されており、
前記応力発生部が前記軸外移動部に接触することで前記軸外移動部が変形して前記支持部を押すことを特徴とする眼内レンズ挿入器具。
【手続補正３】
【補正対象書類名】明細書
【補正対象項目名】０００１
【補正方法】変更
【補正の内容】
【０００１】
本発明は、眼内レンズを眼内に挿入する眼内レンズ挿入器具に関する。
【手続補正４】
【補正対象書類名】明細書
【補正対象項目名】０００６
【補正方法】変更
【補正の内容】
【０００６】
本開示は、眼内レンズを好適に折り曲げることが可能な眼内レンズ挿入器具を提供することを目的とする。
【手続補正５】
【補正対象書類名】明細書
【補正対象項目名】０００７
【補正方法】変更
【補正の内容】
【０００７】
上記課題を解決するために、本開示に係る眼内レンズ挿入器具は、以下のような構成を備える。
（１）  棒状の押出部材を押出軸に沿って進行させることで、光学部と、前記光学部の周囲から外側に延びる一つまたは複数の支持部とを有する変形可能な眼内レンズを眼内に挿入する眼内レンズ挿入器具であって、少なくとも１つの前記支持部を前記光学部よりも基端側に配置した状態で前記眼内レンズが設置される設置部と、前記押出部材とは異なる部材であって、前記設置部に設置された前記眼内レンズの前記支持部を前記押出軸とは異なる方向から押圧して変形移動させる軸外移動部と、を備えたことを特徴とする。
【手続補正書】
【提出日】平成29年7月12日(2017.7.12)
【手続補正１】
【補正対象書類名】明細書
【補正対象項目名】発明の名称
【補正方法】変更
【補正の内容】
【発明の名称】眼内レンズ挿入器具
【手続補正２】
【補正対象書類名】特許請求の範囲
【補正対象項目名】全文
【補正方法】変更
【補正の内容】
【特許請求の範囲】
【請求項１】
棒状の押出部材を押出軸に沿って進行させることで、光を屈折させる光学部と、前記光学部の周囲から外側に延びる１または複数の支持部とを有する変形可能な眼内レンズを眼内に挿入する眼内レンズ挿入器具であって、
前記光学部が設置される光学部設置部と、
前記光学部設置部に設置される前記光学部の厚み方向中心を通り、且つ前記光学部の光軸に垂直となる中心平面からずれた位置に、前記光学部から延びる前記１または複数の支持部の少なくともいずれかを位置決めする位置決め部と、
前記位置決め部によって位置決めされた前記支持部を、前記光学部に近づく方向に移動させる移動部と、
前記位置決め部と前記光学部設置部の間に設けられ、前記移動部によって前記支持部が移動する途中で前記支持部に接触することで、前記移動部による前記支持部の移動をガイドする移動ガイド部と、
を備え、
前記移動ガイド部は、
前記支持部と前記中心平面の距離を一定に保った状態で前記支持部の移動をガイドする、
または、前記支持部が前記光学部設置部に近づく程、前記支持部が前記中心平面に近づくように、前記支持部の移動をガイドすることを特徴とする眼内レンズ挿入器具。
【請求項２】
請求項２に記載の眼内レンズ挿入器具であって、
前記移動部は、直線に沿って移動して前記支持部を押し出すことで前記支持部を移動させる直線移動部を含み、
前記直線移動部のうち、前記支持部に接触する面は、前記押出軸から遠ざかる方向に向けて傾斜していることを特徴とする眼内レンズ挿入器具。
【請求項３】
請求項１または２に記載の眼内レンズ挿入器具であって、
前記移動ガイド部は、前記支持部の一部に接触する第一移動ガイド部と、前記支持部のうち、前記第一移動ガイド部が接触する部分よりも根元側の部分に接触する第二移動ガイド部とを含み、
前記第一移動ガイド部と前記中心平面の距離が、前記第二移動ガイド部と前記中心平面の距離よりも大きいことを特徴とする眼内レンズ挿入器具。
【手続補正３】
【補正対象書類名】明細書
【補正対象項目名】０００１
【補正方法】変更
【補正の内容】
【０００１】
本発明は、眼内レンズを眼内に挿入する眼内レンズ挿入器具に関する。
【手続補正４】
【補正対象書類名】明細書
【補正対象項目名】０００６
【補正方法】変更
【補正の内容】
【０００６】
本開示は、眼内レンズを好適に折り曲げることが可能な眼内レンズ挿入器具を提供することを目的とする。
【手続補正５】
【補正対象書類名】明細書
【補正対象項目名】０００７
【補正方法】変更
【補正の内容】
【０００７】
上記課題を解決するために、本開示に係る眼内レンズ挿入器具は、以下のような構成を備える。
（１）  棒状の押出部材を押出軸に沿って進行させることで、光を屈折させる光学部と、前記光学部の周囲から外側に延びる１または複数の支持部とを有する変形可能な眼内レンズを眼内に挿入する眼内レンズ挿入器具であって、前記光学部が設置される光学部設置部と、前記光学部設置部に設置される前記光学部の厚み方向中心を通り、且つ前記光学部の光軸に垂直となる中心平面からずれた位置に、前記光学部から延びる前記１または複数の支持部の少なくともいずれかを位置決めする位置決め部と、前記位置決め部によって位置決めされた前記支持部を、前記光学部に近づく方向に移動させる移動部と、前記位置決め部と前記光学部設置部の間に設けられ、前記移動部によって前記支持部が移動する途中で前記支持部に接触することで、前記移動部による前記支持部の移動をガイドする移動ガイド部と、を備え、前記移動ガイド部は、前記支持部と前記中心平面の距離を一定に保った状態で前記支持部の移動をガイドする、または、前記支持部が前記光学部設置部に近づく程、前記支持部が前記中心平面に近づくように、前記支持部の移動をガイドすることを特徴とする。
【手続補正書】
【提出日】平成29年7月12日(2017.7.12)
【手続補正１】
【補正対象書類名】明細書
【補正対象項目名】発明の名称
【補正方法】変更
【補正の内容】
【発明の名称】眼内レンズ挿入器具
【手続補正２】
【補正対象書類名】特許請求の範囲
【補正対象項目名】全文
【補正方法】変更
【補正の内容】
【特許請求の範囲】
【請求項１】
筒状の本体部の内部に棒状の押出部材を押出軸に沿って進行させることで、光学部と、前記光学部の周囲から外側に延びる一つまたは複数のループ形状の支持部とを有する変形可能な眼内レンズを眼内に挿入する眼内レンズ挿入器具であって、
前記本体部は、前記支持部を所定の方向に向けた状態で前記眼内レンズを設置させるための設置部と、
前記設置部に粘弾性物質を注入するための注入口と、を備え、
前記眼内レンズが前記設置部に設置された際に、前記ループ形状の支持部の外側面よりも外側に前記注入口が位置することを特徴とする眼内レンズ挿入器具。
【請求項２】
請求項１に記載の眼内レンズ挿入器具であって、
前記設置部に設置される前記光学部よりも先端側に前記注入口が位置することを特徴とする眼内レンズ挿入器具。
【請求項３】
請求項１または２に記載の眼内レンズ挿入器具であって、
先端にノズル部を有しテーパー形状の内壁が形成された挿入部と、前記挿入部より基端側に設けられ、前記設置部から前記挿入部に前記眼内レンズを通過させる筒状の通路部と、を備え、前記設置部に前記光学部が設置される領域の先端から前記挿入部の基端までの前記通路部の領域に前記注入口が設けられていることを特徴とする眼内レンズ挿入器具。
【手続補正３】
【補正対象書類名】明細書
【補正対象項目名】０００１
【補正方法】変更
【補正の内容】
【０００１】
本発明は、眼内レンズを眼内に挿入する眼内レンズ挿入器具に関する。
【手続補正４】
【補正対象書類名】明細書
【補正対象項目名】０００６
【補正方法】変更
【補正の内容】
【０００６】
本開示は、眼内レンズを好適に折り曲げることが可能な眼内レンズ挿入器具を提供することを目的とする。
【手続補正５】
【補正対象書類名】明細書
【補正対象項目名】０００７
【補正方法】変更
【補正の内容】
【０００７】
上記課題を解決するために、本開示に係る眼内レンズ挿入器具は、以下のような構成を備える。
（１）  筒状の本体部の内部に棒状の押出部材を押出軸に沿って進行させることで、光学部と、前記光学部の周囲から外側に延びる一つまたは複数のループ形状の支持部とを有する変形可能な眼内レンズを眼内に挿入する眼内レンズ挿入器具であって、前記本体部は、前記支持部を所定の方向に向けた状態で前記眼内レンズを設置させるための設置部と、前記設置部に粘弾性物質を注入するための注入口と、を備え、前記眼内レンズが前記設置部に設置された際に、前記ループ形状の支持部の外側面よりも外側に前記注入口が位置することを特徴とする。